(57)【要約】マスアナライザーに連結されるレーザー脱離イオン源（例えば、ＭＡＬＤＩ）を使用する代謝障害のハイスループットスクリーニングおよび分析のための方法およびキットが提供される。代謝障害は、アミノ酸、有機酸または脂肪酸酸化の障害であり得る。一群の障害を高速度で分析することができる。本発明の方法およびキットは、代謝障害の新生児スクリーニング（ＮＢＳ）のために特に有用である。本発明の方法はさらに、イオン源によって生じたイオンをダンピングガスにより衝突ダンピング／冷却することを含むことができる。
2011511276.tif 000002
【特許請求の範囲】
【請求項１】
生物学的サンプルを代謝障害について分析するための方法であって、
（ａ）生物学的サンプルを提供すること、および
（ｂ）該サンプルを、マスアナライザーに連結されるレーザー脱離イオン源によって分析すること
を含む、方法。
【請求項２】
前記分析する工程が、マトリックス支援レーザー脱離イオン化（ＭＡＬＤＩ）質量分析法を含む、請求項１に記載の方法。
【請求項３】
前記イオン源によって生じたイオンをダンピングガスにより衝突ダンピング／冷却することをさらに含む、請求項１に記載の方法。
【請求項４】
前記衝突ダンピング／冷却する工程が直交ＭＡＬＤＩ（ｏＭＡＬＤＩ）である、請求項３に記載の方法。
【請求項５】
前記代謝障害が新生児の代謝障害である、請求項１に記載の方法。
【請求項６】
前記代謝障害が、アミノ酸障害、脂肪酸酸化障害および有機酸障害からなる群から選択される、請求項１に記載の方法。
【請求項７】
前記障害が、フェニルケトン尿症（ＰＫＵ）、高フェニルアラニン血症、メープルシロップ尿症（ＭＳＵＤ）、ホモシスチン尿症、シトルリン血症（Ｉ型およびＩＩ型）、アルギニン血症、アルギニノコハク酸血症（ＡＳＡ）、チロシン血症（Ｉ型およびＩＩ型）、ホモシトルリン尿症、高オルニチン血症、高アンモニア血症（ＨＨＨ）、メチオニンアデノシルトランスフェラーゼ（ＭＡＴ）欠損症、ビオプテリン欠損症、プロリン血症、高メチオニン血症、脳回転状網膜脈絡膜萎縮、中鎖アシルＣｏＡデヒドロゲナーゼ（ＭＣＡＤ）欠損症、超長鎖アシルＣｏＡデヒドロゲナーゼ（ＶＬＣＡＤ）欠損症、短鎖アシルＣｏＡデヒドロゲナーゼ（ＳＣＡＤ）欠損症、多種アシルＣｏＡデヒドロゲナーゼ（ＭＡＤ）欠損症、長鎖３−ヒドロキシアシルＣｏＡデヒドロゲナーゼ（ＬＣＨＡＤ）欠損症、中／短鎖Ｌ−３−ヒドロキシアシルＣｏＡデヒドロゲナーゼ（Ｍ／ＳＣＨＡＤ）欠損症、三官能性タンパク質欠損症（ＴＦＰ）、Ｉ型およびＩＩ型のカルニチンパルミトイルトランスフェラーゼ欠損症（ＣＰＴ−Ｉ、ＣＰＴ−ＩＩ）、カルニチンアシルカルニチントランスロカーゼ（ＣＡＣＴ）欠損症、カルニチン輸送体欠損症、カルニチン取り込み欠陥、短鎖３−ケトアシルＣｏＡチオラーゼ（ＳＫＡＴ）欠損症、中鎖３−ケトアシルＣｏＡチオラーゼ（ＭＣＫＡＴ）欠損症、２，４−ジエノイルＣｏＡレダクターゼ欠損症、グルタル酸血症ＩＩ型（ＧＡ−ＩＩ）、３−メチルクロトニルＣｏＡカルボキシラーゼ（３−ＭＣＣ）欠損症、グルタル酸血症Ｉ型（ＧＡ−Ｉ）、メチルマロン酸血症（ＭＭＡ）、プロピオン酸血症（ＰＡ）、イソ吉草酸血症（ＩＶＡ）、マロン酸尿症（ＭＡ）、多種カルボキシラーゼ欠損症（ＭＣＤ）、２−メチル−３−ヒドロキシブチリルＣｏＡデヒドロゲナーゼ（ＭＨＢＤ）欠損症、３−ヒドロキシ−３−メチルグルタリルＣｏＡリアーゼ（ＨＭＧ）欠損症、２−メチルブチリルＣｏＡデヒドロゲナーゼ（２ＭＢＣＤ）欠損症、３−メチルグルタコン酸尿症（ＭＧＡ）、イソブチリルＣｏＡデヒドロゲナーゼ（ＩＢＤ）欠損症、β−ケトチオラーゼ欠損症（ＢＫＴ）ならびにエチルマロン酸脳症（ＥＥ）からなる群から選択される、請求項１に記載の方法。
【請求項８】
前記生物学的サンプルを提供する工程が、該サンプルを誘導体化し、ターゲット表面にスポットすることを含む、請求項１に記載の方法。
【請求項９】
前記サンプルを誘導体化することがブチルエステル形態への誘導体化を含む、請求項８に記載の方法。
【請求項１０】
前記生物学的サンプルを提供する工程が、該生物学的サンプルをＣＨＣＡとおよそ１：１で混合することを含む、請求項２に記載の方法。
【請求項１１】
前記生物学的サンプルが、誘導体化されていないアミノ酸またはアシルカルニチンであり、かつ、工程（ａ）が、（ａ）誘導体化されていないサンプルをＵＶ物質と混合すること、および、（ｂ）該誘導体化されていないサンプルをターゲット表面にスポットすることを含む、請求項１に記載の方法。
【請求項１２】
前記サンプルを分析する工程が、タンデムマススペクトロメーター、三連四重極マスアナライザーまたはイオントラップマススペクトロメーターを含む、請求項１に記載の方法。
【請求項１３】
多重反応モニタリングをさらに含む、請求項１２に記載の方法。
【請求項１４】
前記サンプルを質量分析法によって分析する前に、液体クロマトグラフィーの工程をさらに含む、請求項１に記載の方法。
【請求項１５】
前記生物学的サンプルが、全血、血液成分、凍結血液、血液スポット、血清、血漿、生理学的体液、生理学的組織、口内スワブ、毛髪、脳脊髄液、ガラス体液または羊水から選ばれる、請求項１に記載の方法。
【請求項１６】
前記分析する工程が正イオンモードまたは負イオンモードでの分析を含む、請求項１に記載の方法。
【請求項１７】
前記サンプルを分析する工程が一群の生物学的サンプルの分析を含む、請求項１に記載の方法。
【請求項１８】
前記分析が、離散的モードの操作、ラスターリングモードの操作、または、パターンラスターモードの操作によって行われる、請求項１７に記載の方法。
【請求項１９】
前記生物学的サンプルを提供する工程が、該生物学的サンプルを、一群の生物学的サンプルをもたらすためにターゲット表面にスポットすることを含み、かつ、少なくとも１つのスポットが、少なくとも２つの生物学的障害について同時に分析される生物学的サンプルを含む、請求項１７に記載の方法。
【請求項２０】
生物学的障害についての一群の生物学的サンプルの多重化された分析のための方法であって、
（ａ）一群の生物学的サンプルを提供すること、
（ｂ）該一群の生物学的サンプルをターゲット表面にスポットすること、および
（ｃ）該一群の生物学的サンプルを、マスアナライザーに連結されるレーザー脱離イオン源によって分析すること
を含む、方法。
【請求項２１】
代謝障害を分析するためのキットであって、
（ｉ）マスアナライザーに連結されるレーザー脱離イオン源による分析のための、代謝障害の分析種を含む生物学的サンプル、または、代謝障害の分析種を含むことが疑われる生物学的サンプルを採取、調製および／または分析するための試薬；および
（ｉｉ）マスアナライザーに連結されるレーザー脱離イオン源による分析のためのサンプルを採取、調製および／または分析するための説明書
の１つ以上を含む、キット。
【請求項２２】
前記代謝障害が新生児の代謝障害である、請求項２１に記載のキット。
【請求項２３】
一群の代謝障害を分析するための、請求項２１に記載のキット。
【発明の詳細な説明】
【技術分野】
【０００１】
本出願は、２００８年１月３１日に出願された米国仮特許出願第６１／０２５，０５２号からの優先権を主張し、この出願の内容は本明細書において参考として援用される。
【０００２】
本明細書中で使用される節見出しは構成目的のためだけであり、記載される主題を限定するものとして決して解釈してはならない。
【０００３】
本発明は、代謝障害をサンプルにおいて検出するための方法およびキットに関する。
【背景技術】
【０００４】
生物学的障害についてのスクリーニング、特に、これらの障害についての新生児スクリーニング（ＮＢＳ）が現在、特定の障害スクリーニングに依存する様々な方法を使用して行われる。ＮＢＳのためのアミノ酸およびアシルカルニチンの分析が現在、タンデム質量分析法と連結されるエレクトロスプレーイオン化（ＥＳＩ−ＭＳ／ＭＳ）を使用して一部の実施者によって行われる。質量分析法と連結される液体クロマトグラフィーもまたこれまで、ＮＢＳのために、特に、いくつかの有機酸分析のために使用されている。本出願人の教示により、多数の代謝障害（例えば、アミノ酸障害、脂肪酸酸化障害および有機酸障害など）を、現時点において典型的に実施される方法よりも著しく高い分析速度で分析するための手段が提供され、具体的には、そのような分析速度での、先天性の代謝異常の分析が提供される。
【発明の概要】
【課題を解決するための手段】
【０００５】
本出願人の教示におけるこれらの特徴および他の特徴が本明細書中に示される。
【０００６】
本発明の１つの局面が、下記の工程を含む、生物学的サンプルを代謝障害について分析するための方法を提供することである：（ａ）生物学的サンプルを提供する工程、および、（ｂ）サンプルを、マスアナライザーに連結されるレーザー脱離イオン源によって分析する工程。分析する工程はマトリックス支援レーザー脱離イオン化（ＭＡＬＤＩ）質量分析法を含むことができる。本発明の方法はさらに、イオン源によって生じたイオンをダンピングガスにより衝突ダンピング／冷却することを含むことができる。衝突ダンピング／冷却する工程は直交ＭＡＬＤＩ（ｏＭＡＬＤＩ）が可能である。代謝障害は新生児の代謝障害であり得る。代謝障害は、アミノ酸障害、脂肪酸酸化障害および有機酸障害からなる群から選択され得る。そのような障害は、とりわけ、フェニルケトン尿症（ＰＫＵ）、高フェニルアラニン血症、メープルシロップ尿症（ＭＳＵＤ）、ホモシスチン尿症、シトルリン血症（Ｉ型およびＩＩ型）、アルギニン血症、アルギニノコハク酸血症（ＡＳＡ）、チロシン血症（Ｉ型およびＩＩ型）、ホモシトルリン尿症、高オルニチン血症、高アンモニア血症（ＨＨＨ）、メチオニンアデノシルトランスフェラーゼ（ＭＡＴ）欠損症、ビオプテリン欠損症、プロリン血症（ｐｒｏｌｉｎｅｍｉａ）、高メチオニン血症、脳回転状網膜脈絡膜萎縮、中鎖アシルＣｏＡデヒドロゲナーゼ（ＭＣＡＤ）欠損症、超長鎖アシルＣｏＡデヒドロゲナーゼ（ＶＬＣＡＤ）欠損症、短鎖アシルＣｏＡデヒドロゲナーゼ（ＳＣＡＤ）欠損症、多種アシルＣｏＡデヒドロゲナーゼ（ＭＡＤ）欠損症、長鎖３−ヒドロキシアシルＣｏＡデヒドロゲナーゼ（ＬＣＨＡＤ）欠損症、中／短鎖Ｌ−３−ヒドロキシアシルＣｏＡデヒドロゲナーゼ（Ｍ／ＳＣＨＡＤ）欠損症、三官能性タンパク質欠損症（ＴＦＰ）、Ｉ型およびＩＩ型のカルニチンパルミトイルトランスフェラーゼ欠損症（ＣＰＴ−Ｉ、ＣＰＴ−ＩＩ）、カルニチンアシルカルニチントランスロカーゼ（ＣＡＣＴ）欠損症、カルニチン輸送体欠損症、カルニチン取り込み欠陥、短鎖３−ケトアシルＣｏＡチオラーゼ（ＳＫＡＴ）欠損症、中鎖３−ケトアシルＣｏＡチオラーゼ（ＭＣＫＡＴ）欠損症、２，４−ジエノイルＣｏＡレダクターゼ欠損症、グルタル酸血症ＩＩ型（ＧＡ−ＩＩ）、３−メチルクロトニルＣｏＡカルボキシラーゼ（３−ＭＣＣ）欠損症、グルタル酸血症Ｉ型（ＧＡ−Ｉ）、メチルマロン酸血症（ＭＭＡ）、プロピオン酸血症（ＰＡ）、イソ吉草酸血症（ＩＶＡ）、マロン酸尿症（ＭＡ）、多種カルボキシラーゼ欠損症（ＭＣＤ）、２−メチル−３−ヒドロキシブチリル（ｈｙｄｒｏｘｙｂｕｔｙｒｌ）ＣｏＡデヒドロゲナーゼ（ＭＨＢＤ）欠損症、３−ヒドロキシ−３−メチルグルタリルＣｏＡリアーゼ（ＨＭＧ）欠損症、２−メチルブチリルＣｏＡデヒドロゲナーゼ（２ＭＢＣＤ）欠損症、３−メチルグルタコン酸尿症（ＭＧＡ）、イソブチリルＣｏＡデヒドロゲナーゼ（ＩＢＤ）欠損症、β−ケトチオラーゼ欠損症（ＢＫＴ）ならびにエチルマロン酸脳症（ＥＥ）からなる群から選択することができる。
【０００７】
上記で記載される方法において、生物学的サンプルを提供する工程は、サンプルを誘導体化し、ターゲット表面にスポットすることを含むことができる。サンプルを誘導体化することはブチルエステル形態への誘導体化を含むことができる。生物学的サンプルを提供する工程は、生物学的サンプルをＣＨＣＡとおよそ１：１で混合することを含むことができる。
【０００８】
上記で記載される方法において、生物学的サンプルは、誘導体化されていないアミノ酸またはアシルカルニチンが可能であり、かつ、工程（ａ）は、（ｉ）誘導体化されていないサンプルをＵＶ物質と混合すること、および、（ｉｉ）誘導体化されていないサンプルをターゲット表面にスポットすることを含むことができる。
【０００９】
上記で記載される方法において、サンプルを分析する工程は、タンデムマススペクトロメーター、三連四重極マスアナライザーまたはイオン・トラップ・マススペクトロメーターを含むことができる。本発明の方法はさらに、多重（ｍｕｌｔｉｐｌｅ）反応モニタリングを含むことができる。本発明の方法はさらに、サンプルを質量分析法によって分析する前に、液体クロマトグラフィーの工程を含むことができる。さらに、生物学的サンプルは、全血、血液成分、凍結血液、血液スポット、血清、血漿、生理学的体液、生理学的組織、口内スワブ、毛髪、脳脊髄液、ガラス体液または羊水などから選ぶことができる。最後に、分析する工程は正イオンモードまたは負イオンモードでの分析を含むことができる。
【００１０】
上記で記載される方法において、サンプルを分析する工程は一群の生物学的サンプルの分析を含むことができる。そのような分析は、離散的モードの操作、ラスターリングモード（ｒａｓｔｅｒｉｎｇ  ｍｏｄｅ）の操作、または、パターンラスターモード（ｐａｔｔｅｒｎ  ｒａｓｔｅｒ  ｍｏｄｅ）の操作によって行うことができる。さらに、生物学的サンプルを提供する工程は、生物学的サンプルを、一群の生物学的サンプルをもたらすためにターゲット表面にスポットすることを含むことができ、かつ、少なくとも１つのスポットが、少なくとも２つの生物学的障害について同時に分析される生物学的サンプルを含む。
【００１１】
本発明の別の局面が、下記の工程を含む、生物学的障害についての一群の生物学的サンプルの多重化された分析のための方法を提供することである：（ａ）一群の生物学的サンプルを提供する工程、（ｂ）一群の生物学的サンプルをターゲット表面にスポットする工程、および、（ｃ）一群の生物学的サンプルを、マスアナライザーに連結されるレーザー脱離イオン源によって分析する工程。
【００１２】
本発明の別の局面が、（ｉ）マスアナライザーに連結されるレーザー脱離イオン源による分析のための、代謝障害の分析種を含む生物学的サンプル、または、代謝障害の分析種を含むことが疑われる生物学的サンプルを採取、調製および／または分析するための試薬；および、（ｉｉ）マスアナライザーに連結されるレーザー脱離イオン源による分析のためのサンプルを採取、調製および／または分析するための説明書の１つ以上を含む、代謝障害を分析するためのキットを提供することである。代謝障害は新生児の代謝障害であり得る。さらに、本発明のキットは、一群の代謝障害を分析するために使用することができる。
【図面の簡単な説明】
【００１３】
当業者は、下記において記載される図面が例示目的のためだけであることを理解する。図面は、本出願人の教示の範囲を限定することが決して意図されない。
【図１】図１は、誘導体化されたアシルカルニチンに対するシグナルについての例示的なデータを示す、８５．１Ｄａのプリカーサーイオンについての質量スペクトルである。
【図２】図２は、誘導体化されたアミノ酸に対するシグナルについての例示的なデータを示す、１０２．０Ｄａのニュートラルロスについての質量スペクトルである。
【図３】図３は、誘導体化された遊離型カルニチン（Ｃ０）、アセチルカルニチン（Ｃ２）およびステアロイルカルニチン（Ｃ１８）に対するシグナルの例示的なＭＲＭ質量スペクトルである。
【図４】図４は、誘導体化されたアミノ酸（フェニルアラニン（Ｐｈｅ）およびチロシン（Ｔｙｒ））に対するシグナルの例示的なＭＲＭ質量スペクトルである。
【図５】図５は、非修飾型カルニチンについての誘導体化されていない内部標準物（Ｃ０−Ｄ９）、ブチリルカルニチンについての誘導体化されていない内部標準物（Ｃ４−Ｄ３）およびパルミトイルカルニチンについての誘導体化されていない内部標準物（Ｃ１６−Ｄ３）に対するシグナルの例示的なＭＲＭ質量スペクトルである。
【図６】図６は、１４１．１Ｄａのプロダクト質量を使用する、ヘキサノイルカルニチン（Ｃ６）およびその内部標準物（Ｃ６−Ｄ３）に対するシグナルの例示的なＭＲＭ質量スペクトルである。
【図７】図７は、誘導体化されていないアミノ酸（トリプトファン）に対するシグナルの例示的なＭＲＭ質量スペクトルである。
【図８】図８は、乾燥血液スポット（ＤＢＳ）から測定される例示的なアシルカルニチン濃度を示すチャートである。
【図９】図９は、乾燥血液スポットから得られるアシルカルニチン濃度測定値の例示的な再現性を示すチャートである。
【図１０】図１０は、乾燥血液スポットから測定される例示的なアミノ酸濃度を示すチャートである。
【図１１】図１１は、乾燥血液スポットから得られるアミノ酸濃度測定値の例示的な再現性を示すチャートである。
【図１２】図１２は、乾燥血液スポットから得られる１９個のアシルカルニチンイオン対についてのＭＲＭ測定値の相対的強度を示す例示的な質量スペクトルである。＊は、同位体標識された内部標準物を示す。
【図１３】図１３は、イソロイシン（Ｉｌｅ）ブチルエステルの多重反応モニタリング（ＭＲＭ）遷移イオン（１８８．０→８６．２）に対するシグナルの質量スペクトルである。それぞれのピークが、異なるレーザー出力を使用して得られた。
【図１４】図１４は、へキサノイルカルニチン（Ｃ６）ブチルエステルのＭＲＭ遷移イオン（３１６．０→８５．０）に対するシグナルの質量スペクトルである。それぞれのピークが、異なるレーザー出力を使用して得られた。
【図１５】図１５は、アセチルカルニチン（Ｃ２）ブチルエステルのＭＲＭ遷移イオン（２１８．０→８５．０）に対するシグナルの質量スペクトルである。それぞれのピークが、異なるレーザー出力を使用して得られた。
【図１６】図１６は、アセチルカルニチン（Ｃ２）ブチルエステルのＭＲＭ遷移イオン（２１８．０→１０３．０）に対するシグナルの質量スペクトルである。それぞれのピークが、異なるレーザー出力を使用して得られた。
【図１７】図１７は、アルギニン（Ａｒｇ）ブチルエステルのＭＲＭ遷移イオン（２３１．１→６９．９）に対するシグナルの質量スペクトルである。それぞれのピークが、異なるレーザー出力を使用して得られた。
【図１８】図１８は、オクタノイルカルニチン（Ｃ８）ブチルエステルのＭＲＭ遷移イオン（３４４．１→８５．０）に対するシグナルの質量スペクトルである。それぞれのピークが、異なるレーザー出力を使用して得られた。
【図１９】図１９は、シトルリン（Ｃｉｔ）ブチルエステルのＭＲＭ遷移イオン（２３２．１→１１３．１）に対するシグナルの質量スペクトルである。それぞれのピークが、異なるレーザー出力を使用して得られた。
【図２０】図２０は、メチオニン（Ｍｅｔ）ブチルエステルのＭＲＭ遷移イオン（２０６．１→１０３．９）に対するシグナルの質量スペクトルである。それぞれのピークが、異なるレーザー出力を使用して得られた。
【図２１】図２１は、オルニチン（Ｏｒｎ）ブチルエステルのＭＲＭ遷移イオン（１８９．２→６９．９）に対するシグナルの質量スペクトルである。それぞれのピークが、異なるレーザー出力を使用して得られた。
【図２２】図２２は、フェニルアラニン（Ｐｈｅ）ブチルエステルのＭＲＭ遷移イオン（２２２．１→１２０．０）に対するシグナルの質量スペクトルである。それぞれのピークが、異なるレーザー出力を使用して得られた。
【図２３】図２３は、チロシン（Ｔｙｒ）ブチルエステルのＭＲＭ遷移イオン（２３８．０→１３６．１）に対するシグナルの質量スペクトルである。それぞれのピークが、異なるレーザー出力を使用して得られた。
【図２４】図２４は、バリン（Ｖａｌ）ブチルエステルのＭＲＭ遷移イオン（１７４．１→７２．０）に対するシグナルの質量スペクトルである。それぞれのピークが、異なるレーザー出力を使用して得られた。
【図２５】図２５は、重水素化された非修飾型カルニチン（Ｃ０）の多重反応モニタリング（ＭＲＭ）遷移イオン（１７１．２→１０３．１）に対するシグナルの質量スペクトルである。４つ一組のピークにより、異なる分析種濃度が表される。
【図２６】図２６は、重水素化されたアセチルカルニチン（Ｃ２）の多重反応モニタリング（ＭＲＭ）遷移イオン（２０７．２→８５．０）に対するシグナルの質量スペクトルである。４つ一組のピークにより、異なる分析種濃度が表される。
【図２７】図２７は、重水素化されたプロピオニルカルニチン（Ｃ３）の多重反応モニタリング（ＭＲＭ）遷移イオン（２２１．２→８５．０）に対するシグナルの質量スペクトルである。４つ一組のピークにより、異なる分析種濃度が表される。
【図２８】図２８は、重水素化されたブチリルカルニチン（Ｃ４）の多重反応モニタリング（ＭＲＭ）遷移イオン（２３５．３→８５．０）に対するシグナルの質量スペクトルである。４つ一組のピークにより、異なる分析種濃度が表される。
【図２９】図２９は、重水素化されたイソバレリルカルニチン（Ｃ５）の多重反応モニタリング（ＭＲＭ）遷移イオン（２５５．３→８５．０）に対するシグナルの質量スペクトルである。４つ一組のピークにより、異なる分析種濃度が表される。
【図３０】図３０は、重水素化されたオクタノイルカルニチン（Ｃ８）の多重反応モニタリング（ＭＲＭ）遷移イオン（２９１．３→８５．０）に対するシグナルの質量スペクトルである。４つ一組のピークにより、異なる分析種濃度が表される。
【図３１】図３１は、重水素化されたミリストイルカルニチン（Ｃ１４）の多重反応モニタリング（ＭＲＭ）遷移イオン（３８１．３→８５．０）に対するシグナルの質量スペクトルである。４つ一組のピークにより、異なる分析種濃度が表される。
【図３２】図３２は、重水素化されたパルミトイルカルニチン（Ｃ１６）の多重反応モニタリング（ＭＲＭ）遷移イオン（４０３．３→８５．０）に対するシグナルの質量スペクトルである。４つ一組のピークにより、異なる分析種濃度が表される。
【図３３】図３３は、アスパラギン（Ａｓｎ）の多重反応モニタリング（ＭＲＭ）遷移イオン（１３３．２→７３．８）に対するシグナルの質量スペクトルである。最初のピークが分析種に起因し、２番目のピークがＭＡＬＤＩマトリックスのバックグラウンドに起因する。
【図３４】図３４は、ヒスチジン（Ｈｉｓ）の多重反応モニタリング（ＭＲＭ）遷移イオン（１５６．２→１１０．４）に対するシグナルの質量スペクトルである。最初のピークが分析種に起因し、２番目のピークがＭＡＬＤＩマトリックスのバックグラウンドに起因する。
【図３５】図３５は、プロリン（Ｐｒｏ）の多重反応モニタリング（ＭＲＭ）遷移イオン（１１６．２→７０．２）に対するシグナルの質量スペクトルである。最初のピークが分析種に起因し、２番目のピークがＭＡＬＤＩマトリックスのバックグラウンドに起因する。
【図３６】図３６は、セリン（Ｓｅｒ）の多重反応モニタリング（ＭＲＭ）遷移イオン（１０６．０→６０．４）に対するシグナルの質量スペクトルである。最初のピークが分析種に起因し、２番目のピークがＭＡＬＤＩマトリックスのバックグラウンドに起因する。
【図３７】図３７は、トレオニン（Ｔｈｒ）の多重反応モニタリング（ＭＲＭ）遷移イオン（１２０．４→７４．２）に対するシグナルの質量スペクトルである。最初のピークが分析種に起因し、２番目のピークがＭＡＬＤＩマトリックスのバックグラウンドに起因する。
【図３８】図３８は、トリプトファン（Ｔｒｐ）の多重反応モニタリング（ＭＲＭ）遷移イオン（２０５．４→１８８．２）に対するシグナルの質量スペクトルである。最初のピークが分析種に起因し、２番目のピークがＭＡＬＤＩマトリックスのバックグラウンドに起因する。
【発明を実施するための形態】
【００１４】
本出願人の教示が様々な実施形態と併せて記載されるが、本出願人の教示がそのような実施形態に限定されることは意図されない。これに反して、本出願人の教示は、当業者によって理解されるように、様々な代替、改変および均等物を包含する。
【００１５】
近年、数多くの報告が、新生児スクリーニングを特に先天性の代謝異常について行うために質量分析法を使用することの利点に関してなされている。エレクトロスプレー三連四重極質量分析法によって、ＮＢＳのために現在使用される２つの主要なスキャン機能が、プリカーサーイオンスキャンおよびニュートラルロススキャンである。これらのスキャンモードは典型的には、ある種のクラスの化合物に関して示される共通した化学反応を利用するために、または、特定のサンプル調製技術を利用するために用いられる。これら２つのスキャンモードに関して、マススペクトロメーターは、特定の質量範囲にわたってスキャンするために設定され、しかし、分析速度が三連四重極マススペクトロメーターのスキャン速度によって制約され、その結果、サンプル処理能が制限される。ＮＢＳの実施者には、分析速度をデータの質および結果の質とバランスさせることが要求され、また、スキャンを速くし過ぎることは、データおよび結果の質を損ない得る。より近年には、限られた数のＮＢＳ実施者が、いくつかの疾患状態についての高速分析を行うために、具体的には、生物学的疾患（例えば、代謝障害など）についての高速分析を行うために、三連四重極マススペクトロメーターの多重反応モニタリング（ＭＲＭ）モードの操作を用いている。これらの実施者はまた、実施者の方法開発において、また、ＭＲＭモードの操作によってもたらされる定量的または半定量的な測定に加えて、さらなる疾患評価のために、他の三連四重極モードの操作（例えば、プロダクトイオンスキャン、ニュートラルロススキャン、プリカーサーイオンスキャンおよびシングル四重極スキャンなど）を用いた。
【００１６】
本出願人の教示は、マスアナライザーに連結されるレーザー脱離イオン源を使用することによる、代謝障害（これには、アミノ酸障害、脂肪酸酸化障害および有機酸障害が含まれるが、これらに限定されない）についての分析を含む。例えば、マスアナライザーに連結されるレーザー脱離イオン源は、三連四重極マスアナライザーと連結されるマトリックス支援レーザー脱離イオン化（ＭＡＬＤＩ）、具体的には、定量的または半定量的な分析を提供するためのそのようなマスアナライザーのＭＲＭモードの操作と連結されるマトリックス支援レーザー脱離イオン化（ＭＡＬＤＩ）を含むことができる。代替では、マススペクトロメーターに連結されるレーザー脱離イオン源は、ＭＡＬＤＩマトリックスの必要性を除くために特別に設計されている、それにもかかわらず、依然として、表面からの分析種の十分な脱離およびイオン化をもたらす任意のターゲット表面を含むことができる。本出願人の教示は、代謝障害（例えば、アミノ酸障害、脂肪酸酸化障害および有機酸障害など）についての新生児スクリーニングにおいて特に有用である。ＮＢＳの場合、そのような分析は、特定の疾患状態に対する予防目的または診断目的のためのものであり得る。分析は、特定の代謝障害（例えば、アミノ酸障害、脂肪酸酸化障害および有機酸障害など）を思わせる特定の分析種の検出および定量によって達成することができる。
【００１７】
当業者には知られているように、代謝障害には、アミノ酸障害、脂肪酸酸化（ＦＡＯ）障害および有機酸障害が含まれ得るが、代謝障害はこれらに限定されない。アミノ酸障害には、例えば、フェニルケトン尿症（ＰＫＵ）および他の高フェニルアラニン血症、メープルシロップ尿症（ＭＳＵＤ）、ホモシスチン尿症、シトルリン血症（Ｉ型およびＩＩ型）、アルギニン血症、アルギニノコハク酸尿症（ＡＳＡ）、チロシン血症（Ｉ型およびＩＩ型）、ホモシトルリン尿症、高オルニチン血症、高アンモニア血症（ＨＨＨ）、メチオニンアデノシルトランスフェラーゼ（ＭＡＴ）欠損症、ビオプテリン欠損症、プロリン血症、高メチオニン血症および脳回転状網膜脈絡膜萎縮が含まれ得るが、アミノ酸障害はこれらに限定されない。ＭＳ／ＭＳによるアミノ酸障害についてのスクリーニングでは通常、アミノ酸に対する定量的または半定量的な測定を行うことが伴う。
【００１８】
当業者には知られているように、ＦＡＯ障害には、例えば、中鎖アシルＣｏＡデヒドロゲナーゼ（ＭＣＡＤ）欠損症、超長鎖アシルＣｏＡデヒドロゲナーゼ（ＶＬＣＡＤ）欠損症、短鎖アシルＣｏＡデヒドロゲナーゼ（ＳＣＡＤ）欠損症、多種アシルＣｏＡデヒドロゲナーゼ（ＭＡＤ）欠損症、長鎖３−ヒドロキシアシルＣｏＡデヒドロゲナーゼ（ＬＣＨＡＤ）欠損症、中／短鎖Ｌ−３−ヒドロキシアシルＣｏＡデヒドロゲナーゼ（Ｍ／ＳＣＨＡＤ）欠損症、三官能性タンパク質欠損症（ＴＦＰ）、Ｉ型およびＩＩ型のカルニチンパルミトイルトランスフェラーゼ欠損症（ＣＰＴ−Ｉ、ＣＰＴ−ＩＩ）、カルニチンアシルカルニチントランスロカーゼ（ＣＡＣＴ）欠損症、カルニチン輸送体欠損症、カルニチン取り込み欠陥、短鎖３−ケトアシルＣｏＡチオラーゼ（ＳＫＡＴ）欠損症、中鎖３−ケトアシルＣｏＡチオラーゼ（ＭＣＫＡＴ）欠損症、２，４−ジエノイルＣｏＡレダクターゼ欠損症ならびにグルタル酸血症ＩＩ型（ＧＡ−ＩＩ）が含まれ得るが、ＦＡＯ障害はこれらに限定されない。ＭＳ／ＭＳによる脂肪酸障害についてのスクリーニングでは通常、アシルカルニチンに対する定量的または半定量的な測定を行うことが伴う。非修飾型カルニチンはアシルカルニチンではなく、しかし、当業者が理解するように、用語「アシルカルニチン」の使用には、測定をＮＢＳのために行うことの関連においては、多くの場合、非修飾型カルニチンが真のアシルカルニチンと一緒に含まれる。そのようなことが、この議論では当てはまる。
【００１９】
当業者には知られているように、有機酸障害には、例えば、３−メチルクロトニルＣｏＡカルボキシラーゼ（３−ＭＣＣ）欠損症、グルタル酸血症Ｉ型（ＧＡ−Ｉ）、メチルマロン酸血症（ＭＭＡ）、プロピオン酸血症（ＰＡ）、イソ吉草酸血症（ＩＶＡ）、マロン酸尿症（ＭＡ）、多種カルボキシラーゼ欠損症（ＭＣＤ）、２−メチル−３−ヒドロキシブチリル（ｈｙｄｒｏｘｙｂｕｔｙｒｌ）ＣｏＡデヒドロゲナーゼ（ＭＨＢＤ）欠損症、３−ヒドロキシ−３−メチルグルタリルＣｏＡリアーゼ（ＨＭＧ）欠損症、２−メチルブチリルＣｏＡデヒドロゲナーゼ（２ＭＢＣＤ）欠損症、３−メチルグルタコン酸尿症（ＭＧＡ）、イソブチリルＣｏＡデヒドロゲナーゼ（ＩＢＤ）欠損症、β−ケトチオラーゼ欠損症（ＢＫＴ）およびエチルマロン酸脳症（ＥＥ）が含まれ得るが、有機酸障害はこれらに限定されない。
【００２０】
本出願人の教示は、ターゲットプレート（例えば、ＭＡＬＤＩプレート）上のサンプルのレーザー脱離の使用、それに続く、質量分析法分析によるバイオマーカーのハイスループット定量を含む。ＭＡＬＤＩは、サンプルがＭＡＬＤＩマトリックス（ＵＶ光吸収化合物）と一緒にされ、ターゲット表面の特定の場所に置かれ、その後、一連のレーザーパルスによって脱離およびイオン化させられ、これにより、アブレーションプルームを形成させるイオン化技術である。ＭＡＬＤＩの場合、アブレーションプルームが、（目的とする分析種を含む）サンプルからの粒子と、ＭＡＬＤＩマトリックスからの粒子とから構成される。アブレーションプルームまたはその一部がその後、質量分析法分析に供される。いくつかの一般に使用されるＭＡＬＤＩマトリックスの例には、α−シアノ−４−ヒドロキシケイ皮酸（これは多くの場合、α−ＣＨＣＡまたはＣＨＣＡとして示される）、２，５−ジヒドロキシ安息香酸（ＤＨＢ）および３，５−ジメトキシ−４−ヒドロキシケイ皮酸（シナピン酸）がある。他のＭＡＬＤＩマトリックスを使用することができ、これらは本発明の範囲に含まれる。マススペクトロメーターに連結されるレーザー脱離イオン源が、ＭＡＬＤＩマトリックスの必要性を除くために特別に設計されているターゲット表面を含む場合、サンプルがターゲット表面の特定の場所に同様に置かれ、一連のレーザーパルスにより、アブレーションプルームの形成を伴う脱離およびイオン化がもたらされる。この場合、アブレーションプルームは、（目的とする分析種を含む）サンプルからの粒子から構成され、だが、ターゲット表面から遊離した粒子を含み得る。このＭＡＬＤＩマトリックス非含有アブレーションプルームまたはその一部がその後、質量分析法分析に供される。
【００２１】
本発明の方法は、ＭＡＬＤＩプルームにおける分析種イオンを衝突冷却するためのダンピングガスの使用を伴うことができる。例えば、本発明の方法は、直交ＭＡＬＤＩ、すなわち、「ｏＭＡＬＤＩＴＭ」（Ａｐｐｌｉｅｄ  Ｂｉｏｓｙｓｔｅｍｓ／ＭＤＳ  Ｓｃｉｅｘの商標）を伴うことができる（これは、Ｍａｎｉｔｏｂａ大学のグループによって導入されたものであり、米国特許第６，３３１，７０２号に記載される）。ｏＭＡＬＤＩは、レーザーアブレーションプロセスを質量分析法検出プロセスから切り離す技術であり、ＭＡＬＤＩ−ＴＯＦ装置において典型的に使用される高連結方法とは異なる方法である。ｏＭＡＬＤＩでは、レーザーアブレーションにより、高周波（ＲＦ）イオンガイド内の比較的高い圧力の領域で衝突冷却されるイオンのプルームが生じる。この領域におけるダンピングガスとの衝突により、サンプルに突き当たるレーザー光のパルスから生じるイオンのパルスが準連続イオンビームに変換される。このイオンビームは、イオンビームがいくつかの「スキャンモード」のいずれか１つによって分析されるマススペクトロメーターの中に導かれる。標的イオンの定量を最も容易に可能にするスキャンモードがＭＲＭである。
【００２２】
このシステムは、三連四重極（タンデム）マスアナライザーのＭＲＭモードの操作を含むことができる。ＭＲＭモードの操作では、最初の質量分析用四重極が、特定の「プリカーサー」イオンを、最初の質量分析用四重極を通過するイオンから選択するように設定され、２番目の質量分析用でない四重極が、プリカーサーイオンの制御された解離を生じさせるために使用され、３番目の四重極（第２の質量分析用四重極）が、プリカーサーイオンの特定のフラグメントイオン（または「プロダクト」イオン）のみを選択するように設定される。プリカーサーおよびプロダクトの組合せがＭＲＭイオン対として示される。
【００２３】
この教示において、ＭＲＭデータをいくつかの異なる様式で取得することができ、この場合、その違いは、レーザーが、例えば、使用されるアブレーションモードに依存して、ターゲットプレート上のサンプルとどのように相互作用させられるかにおいてである。「ラスター」アブレーションモードでは、レーザービームが１つ以上のサンプルを直線幅で横切ることを伴う。この「ラスターリング」を達成するために、レーザービームが、目的とするサンプルスポットに先立って、サンプル以外の場所に発射され、その後、ターゲットプレートを、新しいサンプルをレーザー照射点に提示するために連続して移動させることができる。このことは、レーザー脱離点がターゲットプレートのサンプル部分／非サンプル部分の交互列と遭遇することを意味する。得られるＭＲＭデータは、サンプルスポット間におけるゼロシグナルのベースラインの領域が挟まれる、サンプルと遭遇した非ゼロシグナルによる、マススペクトロメーターの分析時間の関数として１秒あたりのイオンカウント数によって示される一連のイオンシグナル「ピーク」を含有する。レーザー出力、レーザービーム下におけるターゲットプレート移動速度、モニターされている分析種の数、および、サンプル組成に依存して、１つのサンプルについてのデータを、このモードのアブレーションについてはおよそ０．２５秒〜５秒で、（１つまたはいくつかのＭＲＭイオン対をモニターして）取得することが典型的であり得る。
【００２４】
「離散的」モードの操作において、レーザーが非発射状態にある場合、ターゲットプレートをレーザー照射点の下に置くことができ、その後、レーザーを特定の期間にわたって作動させることができる。レーザーが発射されていない間、マススペクトロメーターは、（イオンが全く生じないので）ゼロのシグナルを記録する。レーザーが発射を開始するとき、レーザービームが物質をこの特定の場所から脱離させ、これにより、ＭＲＭシグナル「ピーク」を生じさせる。ＭＲＭシグナルの強度がゼロから上昇し、急速に最大になり、その後、ＭＲＭシグナルの強度が、サンプルがターゲットプレート上のその特定の場所からなくなるにつれて低下する。レーザーを止めることによるか、または、サンプルがその特定の場所から完全に消費され、イオンを生じさせるためのサンプルがもはや存在しなくなるまでレーザーを発射することを許すことによるかのどちらかによって、ＭＲＭシグナルのレベルがゼロのベースラインレベルに戻る。レーザーの発射を止めた後、サンプルプレートを、新しいサンプル場所を次回のアブレーションのために提示するように移動させることができる。レーザー出力、サンプル組成、および、レーザーが発射される時間の長さに依存して、１つのサンプルについてのデータをこのモードのアブレーションについては十分に１秒未満で取得することが典型的であり得る。
【００２５】
他のアブレーションモードでは、サンプルスポットを何らかのパターンに従って移動させ、その結果、連続的に発射されるレーザーがサンプルスポットの至る所でパターンを生じさせるようにすることが伴う。この「パターンラスター」モードでは、サンプルスポット内におけるパターンの形態および速度に依存して、数秒から数分までのイオンの一定した流れが生じる。１つ以上のサンプルスポットをそのようなモードにおいて含むことができ、この場合、適切な調整が、１つのサンプルスポットから次のサンプルスポットに移動するときに伴う。マススペクトロメーターによる方法を、マススペクトロメーターのスキャンタイプを組み合わせることを含めてでさえ、数多くの異なる測定を行うために組み立てることができる。パターンラスターは、この技術（例えば、プリカーサースキャンまたはニュートラルロススキャン）によるＭＲＭ分析のために典型的に使用されるアブレーション時間よりも長いアブレーション時間を要求する測定のために有用である。
【００２６】
本出願人の教示は、本適用のための標準的なタンデム質量分析法と比較して、サンプル分析の極めて速い速度を提供し、これにより、代謝障害を検出するために使用される先行技術の質量分析法よりもはるかに強力な技術を提供する。ＭＳ／ＭＳによってスクリーニングされる障害についての分析速度におけるこの増大は、非常に多数のバイオマーカーについてのスクリーニングを、先行技術および他の最新技術の時間枠と同じ時間枠で、または、先行技術および他の最新技術の時間枠よりも短い時間枠で可能にするために使用することができる。本出願人の方法における速度はまた、特定のバイオマーカーについての極めて速い「ファーストパス（ｆｉｒｓｔ  ｐａｓｓ）」スクリーニングを可能にする。１組のバイオマーカーのうちのいずれか１つが、起こり得る障害を意味するレベルで検出されるならば、より詳細かつ特異的なスクリーニングを行うことができる。このことは、再度ではあるが、現在のＭＳ／ＭＳ新生児スクリーニングパネルと比較した場合、使用され得るバイオマーカーの数を増大させる。本出願人の教示の別の利点が、サンプルがサンプルプレート上に「凍結」されることであり、このことは、液体サンプル堆積物がサンプルプレート上で結晶化した後、サンプルが固体形態で存在し、したがって、いつでも分析され得ることを意味し、また、様々な手法により、同じ生物学的サンプルに対するより詳細なスクリーニングを直ちに行うことができることを提供する。サンプルプレート上でのサンプルの「凍結」された局面によりまた、サンプルの便利なプレート上での貯蔵および輸送が提供され得る。代謝障害（例えば、アミノ酸障害、脂肪酸酸化障害および有機酸障害など）についてスクリーニングするための、先例を見ない分析速度に加えて、ＭＡＬＤＩ−ＭＲＭ方法は非常に少量のサンプルを消費するだけである。ターゲットプレートへのサンプル堆積量は典型的には１μｌの程度であり、多数回の単一ラスターの試みを、それぞれの試みを前回の試みに隣接させることにより、同じ乾燥サンプルスポットの全域で行うことができる。このことは、サンプルがプレート（例えば、ＭＡＬＤＩプレート）に堆積させられると、サンプルは整列して「凍結」され、したがって、特定のサンプルに関連する何らかの他の測定について得られる結果に依存して再測定され得ることを意味する。代替として、サンプルスポットをターゲットプレート上に形成するために要求される少ないサンプル体積のために、同じ生物学的サンプルをプレート上に数回スポットすることができ、これにより、異なる分析が異なるサンプル場所に対して行われる。
【００２７】
サンプルは、分析種を含有する物質、または、分析種を含有することが疑われる物質である。サンプルは、本明細書中に記載される方法によって分析され得る任意のサンプルであり得る。例えば、サンプルは、血液、血清、血漿または尿が可能であり、しかし、サンプルはこれらに限定されない。
【００２８】
上記で述べられたように、生物学的サンプルは任意の生物学的サンプルが可能であり、例えば、生物学的サンプルは、新生児の踵穿刺から得られる乾燥血液スポット（ＤＢＳ）が可能である。当業者に知られているように、生物学的サンプルはまた、全血または血液成分（例えば、血清または血漿）が可能であり、しかし、生物学的サンプルはこれらに限定されない。「生理学的体液＆生理学的組織」と一般に呼ばれる他の生物学的サンプルには、より具体的には、少数の例を挙げると、口内スワブ、毛髪、脳脊髄液、ガラス体液、羊水、凍結血液または乾燥血液スポット（ＤＢＳ）が含まれ得る。
【実施例】
【００２９】
本出願人の教示の様々な局面を下記の実施例に照らしてさらに理解することができ、しかし、下記の実施例は、本出願人の教示の範囲を限定するものとして決して解釈してはならない。
【００３０】
実施例１。ＣｈｒｏｍｓｙｓｔｅｍｓＴＭ（ドイツ）新生児スクリーニングキット、ならびに、いくつかの市販されているアシルカルニチンおよびアミノ酸が、生物学的障害についてのハイスループットスクリーニングに適用可能な今までにない測定を行うためのＭＡＬＤＩ−ＭＲＭ方法の有用性を明らかにするために使用されている。
【００３１】
ＣｈｒｏｍｓｙｓｔｅｍｓＴＭＮＢＳキットは、１３個のアシルカルニチン、１２個のアミノ酸、および、これらのそれぞれについての同位体標識（重水素化）された内部標準物を含有する。キットにおける１３個のアシルカルニチンは、非修飾型カルニチン（Ｃ０）、アセチルカルニチン（Ｃ２）、プロピオニルカルニチン（Ｃ３）、ブチリルカルニチン（Ｃ４）、イソバレリルカルニチン（Ｃ５）、ヘキサノイルカルニチン（Ｃ６）、オクタノイルカルニチン（Ｃ８）、デカノイルカルニチン（Ｃ１０）、グルタリルカルニチン（Ｃ５ＤＣ）、ドデカノイルカルニチン（Ｃ１２）、ミリストイルカルニチン（Ｃ１４）、パルミトイルカルニチン（Ｃ１６）およびステアロイルカルニチン（Ｃ１８）である。アシルカルニチンについての略号または記号は一般に、それらの炭素含有アルキル鎖の長さに由来する。キットにおける１２個のアミノ酸は、フェニルアラニン（Ｐｈｅ）、チロシン（Ｔｙｒ）、ロイシン（Ｌｅｕ）、アルギニン（Ａｒｇ）、シトルリン（Ｃｉｔ）、グルタミン酸（Ｇｌｕ）、オルニチン（Ｏｒｎ）、メチオニン（Ｍｅｔ）、バリン（Ｖａｌ）、アスパラギン酸（Ａｓｐ）、アラニン（Ａｌａ）およびグリシン（Ｇｌｙ）である。ＣｈｒｏｍｓｙｓｔｅｍｓＴＭ調節キットが、ＣｈｒｏｍｓｙｓｔｅｍｓＴＭ新生児スクリーニングキットとともに供給され、これは、上記の１３個のアシルカルニチン、１２個のアミノ酸、および、これらのそれぞれについての重水素化された内部標準物を含有する（これらの化合物のそれぞれが酪酸エステル形態に誘導体化されている）。ブチル化アシルカルニチンおよび多くのブチル化アミノ酸は、それらの誘導体化されていない対応物よりも５６Ｄａ大きい質量を有する。アスパラギン酸およびグルタミン酸のブチル化形態は２つの酸基を含有しており、それらの誘導体化された形態についての質量を、それらの誘導体化されていない対応物と比較して、１１２Ｄａの差で増大させる。
【００３２】
図面を参照して、図１は、８５．１Ｄａのプリカーサーイオンについての三連四重極質量スペクトルを示す。三連四重極マススペクトロメーターが実施例１を通して使用された。これは、質量分析法による新生児スクリーニングにおけるアシルカルニチンの検出および定量または半定量のためにＮＢＳ実施者によって典型的に使用されるスキャンタイプである。スペクトルは２つのピークをそれぞれのアシルカルニチン標識体のもとで示し、最初のピークがアシルカルニチン分析種であり、２番目のピークが、数ダルトンより大きいその重水素化された内部標準物である。ＭＡＬＤＩサンプルスポットは、ＣｈｒｏｍｓｙｓｔｅｍｓＴＭキットとともに供給される調節ミックスに由来するアリコートを含有した。この調節ミックスは、上記の１３個のアシルカルニチンおよび１２個のアミノ酸の生物学的内因レベルよりもいくらかか高い濃度を含有する。ブチル化アシルカルニチンのすべてが、タンデムマススペクトロメーターの衝突セルにおける適正に制御された解離に供されたとき、８５Ｄａの質量の特徴的なフラグメントイオンをもたらす。このスペクトルを生じさせるために、ＭＡＬＤＩプレートは、サンプルスポットを覆うパターンラスターを行って、レーザービームによるアブレーションのための新鮮なサンプルの連続した供給をもたらすように、高繰り返し率レーザー（１０００Ｈｚ）アブレーション点のもとで動かされた。第２の質量分析用四重極が、どのプリカーサーイオン質量が８５．１Ｄａのフラグメントを生じさせたかを示すために、最初の分析用四重極を質量範囲全域にわたってスキャンさせながら、８５．１Ｄａの質量のイオンのみを通過させるために設定された。
【００３３】
図２は、ＣｈｒｏｍｓｙｓｔｅｍｓＴＭ調節ミックスに由来するアリコートを含有するＭＡＬＤＩサンプルスポットから同様に取得されたものであり、１０２．０Ｄａのニュートラルロスについての質量スペクトルを示す。これは、質量分析法による新生児スクリーニングにおけるいくつかのアミノ酸の検出および定量または半定量のためにＮＢＳ実施者によって典型的に使用されるスキャンタイプである。スペクトルは２つのピークを８個のアミノ酸標識体のそれぞれのもとで示し、最初のピークがアミノ酸であり、２番目のピークが、数ダルトンより大きいその重水素化された内部標準物である。このスペクトルを生じさせるために、タンデムマススペクトロメーターの２つの分析用四重極が１０２．０Ｄａ離されてロックされ、その後、両方が質量範囲にわたってスキャンされ、レーザーが、１つのサンプルスポットを覆うパターンラスターを行うように命令された。
【００３４】
アミノ酸のピークが、マススペクトロメーターの衝突セルにおけるギ酸ブチルの解離的喪失から生じる。ＣｈｒｏｍｓｙｓｔｅｍｓＴＭキットにおけるアミノ酸のうちの４つが、１０２Ｄａの中性フラグメントの喪失を含まなかった分子的フラグメンテーションパターンのために、このタンデムマススペクトロメーターでは１０２のスキャンのニュートラルロスによって測定されなかった。フラグメント化したとき、オルニチンおよびシトルリンは、１１９Ｄａの総減少のために、ギ酸ブチルのフラグメントだけでなく、アンモニアを失う。グリシンが５６Ｄａ（ブテン）の喪失によりフラグメント化し、アルギニンは通常、５６Ｄａまたは１６１Ｄａのフラグメントの喪失によってモニターされる。当業者には知られているように、ＭＲＭは通常、これらの分析種の定量のために用いられる。他のピークがニュートラルロススペクトルにおいて存在するが、これらは、目的とする分析種に関連していない。同じことが、アシルカルニチン分析のためのプリカーサーイオンスキャンについて当てはまる。アミノ酸との比較において、アシルカルニチンはＭＡＬＤＩによって非常に効率的にイオン化し、調節ミックスにおける高濃度物についてのスペクトルを際立たせるシグナルをもたらし、したがって、それ以外のピークは、図１に示されるスケールについては明白ではない。
【００３５】
ＭＡＬＤＩ−ＭＳ−ＭＳに関して、スクリーニングをニュートラルロススキャンおよびプリカーサーイオンスキャンの使用によって行うことができ、しかし、分析速度はＭＲＭの使用の場合よりも遅く、また、目的とする分析種の定量的または半定量的な測定は、質がＭＲＭの使用の場合よりも低い。ニュートラルロススキャンおよびプリカーサーイオンスキャンでは、かなりの時間が、質量範囲全域をスキャンするために要求され、また、さらなる時間が、高品質の定量結果または半定量結果をもたらすスペクトルを得るために十分な回数、これらのスキャンを繰り返すために要求される。これらのスキャンタイプのために要求される時間は、時間のかかるパターンラスターをサンプルアブレーションのために余儀なくさせる。ニュートラルロススキャンおよびプリカーサーイオンスキャンは、使用中の特定のスキャン機能により検出され得る目的とする分析種のプロフィル全体の非常に有用な定性的「スナップショット」をもたらすことができる。しかしながら、ＭＲＭの選択性および特異性は、目的とするイオンから生じる識別可能なフラグメントイオンを生物学的性質の妨害から、また、可能性のあるＭＡＬＤＩマトリックスの妨害から分離することができることをもたらし得る。すなわち、ＭＲＭスキャンは、特定の分析種に「照準を合わせて」、それらの分析種についての高品質の定量的測定または半定量的測定を行うために使用することができ、これにより、他のスキャンタイプのより定性的な方法よりも少ない偽陽性および偽陰性をもたらす。そのような標的化された分析における定量的または半定量的な測定のために、ＭＲＭスキャンは著しい速度上の利点を提供することができる。
【００３６】
先天性の代謝異常についての新生児スクリーニングにおいて、（生後間もない）新生児の踵に対する穿刺が典型的には、乾燥血液スポット（ＤＢＳ）になるために血液が乾燥させられる「ろ紙」または血液スポットカードへの血液の少量のサンプリングを得るために使用される。ＤＢＳの小区分物がろ紙から打ち抜かれ、分析種の抽出を含むことができ、また、アシルカルニチンおよびアミノ酸の内部標準物の添加を含むことができるサンプル調製プロトコルに供される。この後には誘導体化を続けることができる。例えば、誘導体化は、ブチルエステルへの誘導体化が可能である。ブチルエステルへの誘導体化は、アシルカルニチンおよびアミノ酸に対するＮＢＳ測定のための目的とする化合物のイオン化を改善することができ、ブチルエステルへの誘導体化はまた、特にいくつかのアミノ酸については共通したＭＳ−ＭＳフラグメンテーション機構ももたらす。打ち抜かれた乾燥血液ディスクにおける血液体積は可変であり、このことは、当業者が理解し得るように、乾燥血液スポットから行われるスクリーニングが通常、定量的ではなく、むしろ、半定量的であることを意味する。図３は、ＣｈｒｏｍｓｙｓｔｅｍｓＴＭキットとともに供給されるＤＢＳコントロールに由来する３つの誘導体化されたアシルカルニチンの測定について得られる典型的なＭＲＭデータを示す。マススペクトロメーターが、アシルカルニチンの共通する８５．１Ｄａのフラグメントを含んだＭＲＭイオン対を記録するために設定された。図におけるＭＲＭ軌跡に対応するイオン対が、２１８．２／８５．１（非修飾型カルニチン、Ｃ０）、２６０．２／８５．１（アセチルカルニチン、Ｃ２）および４８４．４／８５．１（ステアロイルカルニチン、Ｃ１８）である。データが、１０００Ｈｚの速度でのレーザー発射および１．５ｍｍ／ｓの速度でのサンプルスポット全域のラスターリングにより、同じＤＢＳに由来する１２個のサンプルスポットから取得された。マススペクトロメーターが、１０個のイオン対（５つのアシルカルニチンおよびそれらの５つの内部標準物）を測定するために設定された。だが、視覚的明瞭さのために、３つのイオン対のみが図に示される。レーザー出力、サンプルスポット全域でのレーザーラスター速度、および、それぞれのイオン対についてのＭＲＭ滞留時間が、目的とする特定の測定のための分析的に許容され得る数のデータポイントを含有するＭＲＭシグナルピークをもたらすために調節される。この例示における１０個のＭＲＭイオン対については、５つのアシルカルニチンの半定量的分析のために、７ミリ秒のＭＲＭ滞留時間が使用され、１２個のサンプルが４０秒未満で処理された。１つのサンプルスポットに対応する個々のＭＲＭピークが、半値全幅でおよそ１．２秒の幅である。以前に記載された離散的アブレーションモードは、２つ〜６つのイオン対を測定することに適しており、この場合、ＭＲＭ滞留時間が５ｍｓ〜２０ｍｓであり、１個のサンプルの総分析時間が数百ミリ秒である。このような高繰り返し率レーザーは、この今までにない質量分析法分析速度を可能にするアブレーション速度およびイオン流束速度を可能にする。
【００３７】
図４は、ＣｈｒｏｍｓｙｓｔｅｍｓＴＭキットとともに供給されるＤＢＳコントロールに由来する２つの誘導体化されたアミノ酸の測定について得られる典型的なＭＲＭデータを示す。図におけるＭＲＭ軌跡に対応するイオン対が２２２．１／１２０．０（フェニルアラニン、Ｐｈｅ）および２３８．３／１３６．１（チロシン、Ｔｙｒ）であり、これらのイオン対は、フェニルケトン尿症（ＰＫＵ）についてのスクリーニングのための主要な分析種を構成する。データが、１０００Ｈｚの速度でのレーザー発射および４．５ｍｍ／ｓの速度でのサンプルスポット全域のラスターリングにより、同じＤＢＳに由来する１２個のサンプルスポットから取得された。マススペクトロメーターが、４個のイオン対（２つのアミノ酸およびそれらのそれぞれの内部標準物）を測定するために設定された。だが、視覚的明瞭さのために、２つのイオン対のみが図に示される。この例示における４個のＭＲＭイオン対については、２つのアミノ酸の半定量的分析のために、７ミリ秒のＭＲＭ滞留時間が使用され、１２個のサンプルがおよそ１２秒で処理された。１つのサンプルに対応する個々のＭＲＭピークが、半値全幅で第２の幅のおよそ１／３である。
【００３８】
先天性の代謝異常についての新生児スクリーニングのために、目的とする分析種をブチルエステルに誘導体化することが要求されない。近年では、誘導体化されていないアシルカルニチンおよびアミノ酸の使用によりスクリーニングする実施者の報告の数がますます増大している。誘導体化されていないアシルカルニチンについては、ＭＳ−ＭＳの衝突セルでの解離は、共通した８５Ｄａのフラグメントイオンをもたらし続け、これにより、８５Ｄａのマススペクトロメータースキャンのプリカーサーの継続した使用を可能にするか、または、ＭＲＭが代替として使用され得る。以前に述べられたように、ブチルエステル形態に誘導体化されたアミノ酸は、すべてではないが、多くが、ギ酸ブチル（１０２Ｄａ）の喪失による共通したＭＳ−ＭＳフラグメンテーション経路をもたらす。誘導体化がない場合、アミノ酸の測定のために用いられる一般的なスキャン機能がない；この場合には、ＭＲＭが通常、使用される。図５は、３つの誘導体化されていないアシルカルニチン内部標準物の測定について得られる典型的なＭＲＭデータを、１７１．２／１０３．１のイオン対（Ｃ０−Ｄ９、非修飾型カルニチンの場合）、２３５．３／８５．１のイオン対（Ｃ４−Ｄ３、ブチリルカルニチンの場合）および４０３．３／８５．１のイオン対（Ｃ１６−Ｄ３、パルミトイルカルニチンの場合）により示す。マススペクトロメーターが、Ｃａｍｂｒｉｄｇｅ  Ｉｓｏｔｏｐｅｓ（Ｍａｒｙｌａｎｄ、米国）新生児スクリーニングキットに含まれる８個の誘導体化されていないアシルカルニチンの同位体標識（重水素化）された標準物について、８個のＭＲＭイオン対を測定するために設定された。だが、視覚的明瞭さのために、３つのイオン対のみが図に示される。Ｃａｍｂｒｉｄｇｅ  Ｉｓｏｔｏｐｅｓキットから測定されたそれ以外の誘導体化されていない同位体標識されたアシルカルニチンが、アセチルカルニチン（Ｃ２）、プロピオニルカルニチン（Ｃ３）、イソバレリルカルニチン（Ｃ５）、ヘキサノイルカルニチン（Ｃ６）およびミリストイルカルニチン（Ｃ１４）に対応した。「［Ｋ］」は、キットにおける説明書のプロトコルに従うことによって生じた濃度を示す。一連の希釈物を作製した。例えば、［Ｋ２］／２は、希釈が１／２の濃度に対してであったことを意味する（それぞれの濃度についてのアリコートがＭＡＬＤＩマトリックスとの混合の後でターゲットプレートにスポットされた）。データが、レーザーを０．５ｍｍ／ｓでラスターリングし、かつ、２０ｍｓのＭＲＭ滞留時間を使用し、これにより、標準曲線を作製することによって、ターゲットプレート上の標準物の様々な濃度に対応する４つ一組のサンプルスポットから取得された。非修飾型カルニチンについては、１０３Ｄａのフラグメントが、通常の８５Ｄａのフラグメントよりも大きい強度のイオンシグナルおよび良好な検出限界をもたらしたことが見出された。特定のプロダクトイオンを選ぶこの自由度により、ＭＲＭ法の利点が、フルスキャン法（例えば、プリカーサースキャンなど）と比較して例示される。
【００３９】
図６は、ＣｈｒｏｍｓｙｓｔｅｍｓＴＭキットとともに供給されるＤＢＳコントロールに由来する誘導体化されたヘキサノイルカルニチン（Ｃ６）およびその内部標準物（Ｃ６−Ｄ３）の測定について得られた典型的なＭＲＭデータを示す。マススペクトロメーターが、通常の８５Ｄａのフラグメントではなく、むしろ、１４１．１Ｄａのフラグメントに対応したＭＲＭイオン対を記録するために設定された。８５Ｄａのフラグメントは、著しく増大したシグナルをもたらしたが、サンプルマトリックスおよびＭＡＬＤＩマトリックスからの増大したバックグラウンドシグナルにより、より不良なシグナル対ノイズ比が生じ、このことは結果として、より不良な分析結果をもたらした。ＭＲＭを測定のために使用したとき、システムは、マススペクトロメーターの特定のスキャン機能を順応させるために妥協した条件のもとで操作する代わりに、それぞれの分析種について最適化することができる。
【００４０】
図７は、誘導体化されていないアミノ酸（トリプトファン（Ｔｒｐ））についての典型的なＭＲＭデータを示す。ＭＡＬＤＩ−ＭＲＭ技術を使用して調べられた誘導体化されていないアミノ酸により、２０個の主要なアミノ酸が構成され、これらの誘導体化されていないアミノ酸には、フェニルアラニン（Ｐｈｅ）、チロシン（Ｔｙｒ）、ロイシン（Ｌｅｕ）、アルギニン（Ａｒｇ）、グルタミン酸（Ｇｌｕ）、メチオニン（Ｍｅｔ）、バリン（Ｖａｌ）、アスパラギン酸（Ａｓｐ）、アラニン（Ａｌａ）、グリシン（Ｇｌｙ）、アスパラギン（Ａｓｎ）、システイン（Ｃｙｓ）、グルタミン（Ｇｌｎ）、ヒスチジン（Ｈｉｓ）、イソロイシン（Ｉｌｅ）、リシン（Ｌｙｓ）、プロリン（Ｐｒｏ）、セリン（Ｓｅｒ）、トレオニン（Ｔｈｒ）およびトリプトファン（Ｔｒｐ）が含まれる。
【００４１】
ＣｈｒｏｍｓｙｓｔｅｍｓＴＭキットに由来する乾燥血液スポットコントロールが、乾燥血液スポットにおける具体的なアシルカルニチンおよびアミノ酸の濃度を示す文書とともに提供された。ＣｈｒｏｍｓｙｓｔｅｍｓＴＭの文書によれば、これは、乾燥血液からのアシルカルニチンおよびアミノ酸の半定量的決定のための分析手法の正確さおよび精密さのモニタリングを可能にする。乾燥血液スポットコントロールは、それらがあたかも新生児スクリーニング患者サンプルであったかのように、分析種の抽出および誘導体化を含めて、サンプル調製全般に供された。ＣｈｒｏｍｓｙｓｔｅｍｓＴＭキットには２組のＤＢＳコントロールが存在した（レベルＩおよびレベルＩＩ）。両方の組のコントロールがアシルカルニチンおよびアミノ酸についての内部標準物を含有し、レベルＩＩのコントロールがより高いレベルの分析種（アシルカルニチンおよびアミノ酸）を含有した。ＭＡＬＤＩ−ＭＲＭ技術を使用して、それぞれの乾燥血液スポットについて、アシルカルニチン分析種およびアミノ酸分析種についてのシグナルが測定され、それらのそれぞれの内部標準物に対する比率が、内部標準物の既知濃度を仮定して、乾燥血液スポットコントロールに存在する分析種の濃度を計算するために使用された。
【００４２】
図８は、ＭＡＬＤＩ−ＭＲＭ方法を使用してＣｈｒｏｍｓｙｓｔｅｍｓＴＭＤＢＳコントロールから測定されるアシルカルニチンの濃度を示す。図８における表は、レベルＩおよびレベルＩＩの乾燥血液スポットについて、類似する区分を含む。これらの区分のそれぞれにおいて、「ＦＱ測定」と題される欄は、ＭＡＬＤＩ−ＭＲＭ方法を使用して測定される濃度を示し、「Ｃｈｒｏｍｓｙｓｔｅｍｓ」の見出しのもとでの欄は、ＣｈｒｏｍｓｙｓｔｅｍｓＴＭキットにおける文書によって与えられるような平均予想値ならびに許容可能な範囲の下限および上限を示す。ＭＡＬＤＩ−ＭＲＭ技術を使用して測定される濃度はすべてが、許容可能な範囲に含まれ、すべてが目標値の２３％以内であった。図８における測定値は、同じ乾燥血液スポットに由来するサンプルスポットに対する１２回の同一測定の平均値であった。図９は、％ＣＶ（平均値によって除される標準偏差を１００倍したもの）によって与えられるような、１２回のアシルカルニチンＭＡＬＤＩ−ＭＲＭ測定の再現性が良好であることを示す。
【００４３】
図１０は、ＭＡＬＤＩ−ＭＲＭ方法を使用してＣｈｒｏｍｓｙｓｔｅｍｓＴＭＤＢＳコントロールから測定されるアミノ酸の濃度を示す。図１０における表は、図８における表と同じ形式のものであり、欄は同じ意味を有する。図１０における表に示される７つのアミノ酸については、測定された濃度が、レベルＩの乾燥血液スポットコントロールについての許容可能な範囲をともにわずかに外れたロイシンおよびアルギニンを除くすべての分析種について、許容可能な範囲にあった。キットにおける他の５つのアミノ酸について測定された濃度はＣｈｒｏｍｓｙｓｔｅｍｓＴＭキットについての許容可能な範囲の範囲外であった。乾燥血液スポットからのすべてのアミノ酸濃度測定は、現行キットおよび言及された誘導体化スキームに関しては「許容可能な」値をもたらさなかったが、代謝疾患についてのハイスループットスクリーニングのためのＭＡＬＤＩ−ＭＲＭ技術の有用性が明らかにされている。さらなる日常的実験により、本出願人らは、これらのアミノ酸についての許容可能な濃度を測定するための努力を推し進める。これは、本発明の方法は、現行の最新技術の方法論と比較して、分析速度におけるそのような今までにない好都合な増大を提供するからである。そのような努力には、当業者が理解するように、異なる誘導体化スキーム（特に、アミノ酸についての誘導体化スキーム）が含まれ得る。図１１は、１２回の同一のアミノ酸ＭＡＬＤＩ−ＭＲＭ測定の再現性が優れていることを示す。
【００４４】
実際には、生物学的スクリーニングのために潜在的に注目されるアシルカルニチンは７０を越えており、しかし、同位体標識された内部標準物をすべてのアシルカルニチンについて入手することができない。等しい長さの鎖長を有するアシルカルニチンは、当業者には知られているように、類似する質量分析法応答をもたらすので、内部標準物が存在しないそのようなアシルカルニチンの半定量が、これらの分析種を同じ鎖長の重水素化された内部標準物に対して参照することによって行われる。図１２は、レーザーが、７ｍｓのＭＲＭ滞留時間により、サンプルスポットを１．５ｍｍ／ｓで横切り、これにより、全幅半値で１．２秒の幅のＭＲＭピークを生じさせたとき、１９個のイオン対がモニターされたアシルカルニチンのＭＲＭファーストパススクリーニングの結果を示す。図１２において、ＭＲＭピークは、以前のようなマススペクトロメーターの分析時間の関数としてのイオンシグナルとして示されていない。この場合には、ＭＲＭイオン対のピーク高さが互いに対してプロットされ、イオン対の質量が水平軸に示される。これらのイオン対のうちの１１個がアシルカルニチン分析種に対応し、これらのイオン対のうちの８個が（星印によって示される）内部標準物に対応する。Ｃ５ＯＨ、Ｃ１４：１およびＣ１６ＯＨについての半定量的結果が典型的には、対応する等しい鎖長（それぞれ、Ｃ５、Ｃ１４およびＣ１６）の内部標準物に対するこれらのアシルカルニチンの比率を取ることによってもたらされる。ファーストパススクリーニング（例えば、図１２に例示されるファーストパススクリーニングなど）に含まれるアシルカルニチンは、好ましくはデータ取得後直ちに分析することができ、そして、結果が疾患の存在の可能性を示唆するならば、より特異的なＭＡＬＤＩ−ＭＲＭ方法をさらなるスクリーニング詳細および評価のためのより具体的な一組の分析種について行うことができる。これらなどのスキームは、多数のサンプルの全体的なスクリーニング速度におけるさらなる増大に寄与し得る。
【００４５】
上記で明らかにされたように、本発明の方法は、使用することが簡便かつ容易であり得る。本発明の方法は、（１）生物学的サンプルを提供すること（これは、分離および／または誘導体化の何らかの形態を含むことができる）、（２）サンプルを表面（例えば、ＭＡＬＤＩプレート）に置くこと（これは、サンプルをＵＶ光吸収物質（例えば、ＭＡＬＤＩマトリックス）と混合することを含んでもよく、または、含まなくてもよい）、および、（３）サンプルを、マススペクトロメーターに連結されるレーザー脱離イオン源（例えば、ＭＡＬＤＩ）によって分析することを含む。
【００４６】
本出願人の教示はまた、液体クロマトグラフィー（ＬＣ）の微量物をターゲットプレートに置くこと、および、それに続く、レーザー脱離イオン源を使用する分析を含むことができ、この場合、イオンがダンピングガスによりダンピング／冷却され、その後、マスアナライザー（例えば、ｏＭＡＬＤＩ）および本出願人の方法を使用して分析される。ＬＣは、ターゲット（例えば、ＭＡＬＤＩ）プレートにおけるスポッティングの前に、同じ質量の分析種の異性体分離および同重体分離をもたらすために非常に有用であり得る。ＬＣ分離、時間で順序づけられるＬＣ溶出液をターゲット（例えば、ＭＡＬＤＩ）プレートに置くこと、および、それに続く、ＭＡＬＤＩ（または、マスアナライザーに連結されるレーザー脱離イオン源の別の方法）による分析のこの組合せは、ＬＣ−ＭＡＬＤＩとして示される。代謝スクリーニング適用において、ＬＣ−ＭＡＬＤＩは、ロイシン／イソロイシン／ヒドロキシプロリンおよびグルタミン／リシンの異性体分離および同重体分離を定量目的のためにもたらすことができる。ロイシン測定が単独で役立ち得る場合が、高ロイシン血症（ｈｙｐｅｒｌｅｕｃｉｎｅｍｉａ）と、ＭＳＵＤとを区別する際においてである。ＬＣ−ＭＡＬＤＩにより、これらの分析種などの分析種の分離をその後、サンプルプレート上に「凍結」することができ、実施者が選択するどのような有用な様式であっても、そのような様式で調べることができ、この場合、同じＬＣ微量物を数回調べることが可能である。このことは、ＬＣ溶出液が、ＬＣカラムから出るときにマススペクトロメーターの中に送られ、分析が１回限り（ｏｎｅ  ｔｉｍｅｄ）の通過で行われるだけであるＥＳＩ−ＭＳ−ＭＳとは対照的である。
【００４７】
ＬＣ微量物をターゲットプレートに置き、続いて、分析を本出願人の技術により行うことは、ＬＣ／ＭＳ／ＭＳを同じサンプルについて単に行うことよりも速くはないが、本出願人の方法における速度は、多数のＬＣ堆積システムが並行して稼動され、これにより、本出願人の方法による分析のための数多くのスポットされたターゲットプレートがもたらされるとき、増大したサンプル処理能を可能にし得る。より多くのサンプルを高速ＭＡＬＤＩ−ＭＲＭ分析のために提供するためのこの多重化は、サンプル処理能を大きく増大させる。本出願人の教示によりまた、より多数の分析種を、取得速度が増大したことのために分析することができることに起因して、（例えば、同じサンプルスポットからの２つ以上の分析種の分析を含めて）増大した多重化する可能性が提供され得る。
【００４８】
さらに、特定のサンプルを１つ以上の生物学的障害について分析することができる。例えば、サンプルを、同じサンプルスポットから（アシルカルニチンの測定によって）アミノ酸障害および脂肪酸酸化障害について分析することができる。同じサンプルスポットからの２つ以上の障害の分析は、マススペクトロメーターが、別個に、しかし、交互配置様式での同じマススペクトロメーター方法の範囲内においてアミノ酸およびアシルカルニチンについて分析するが、これら２つの分析種の間における時間遅延がミリ秒範囲であり得るという点で、「同時」であると見なすことができる。実際、ターゲート表面（例えば、ＭＡＬＤＩプレート）全体の分析は、容易かつ大きな速度で分析され得る異なるサンプルの数のために、多重システムであると見なすことができる。
【００４９】
本出願人の教示により、イオン源から生じるイオンがダンピングガスにより衝突ダンピング／冷却され、マスアナライザーにおいて分析され得るレーザー脱離イオン源の使用が提供され得る。したがって、本出願人の教示には、生物学的障害（これには、代謝障害、例えば、アミノ酸障害、脂肪酸酸化障害および有機酸障害などが含まれるが、これらに限定されない）を分析するために、ハイブリッド四重極／直線イオン・トラップ・タンデムマススペクトロメーターを含めて、タンデム三連クアド（ｑｕａｄ）マスアナライザーまたはイオントラップとの組合せでのｏＭＡＬＤＩの使用が含まれ得る。ＭＲＭを三連四重極マスアナライザーで利用することができる。イオントラップスキャンによってもたらされる選択性および特異性のより大きな程度を利用する方法が開発され得るので、ハイブリッド四重極／直線イオントラップ型の装置は、三連クアドマスアナライザーでのｏＭＡＬＤＩの代替法、および、ＬＣ−ＭＡＬＤＩの代替法を提供する。
【００５０】
本出願人の教示には、正イオンモードまたは負イオンモードでのバイオマーカーの分析が含まれ得る。
【００５１】
本出願人の教示は、患者におけるバイオマーカーのレベルを正常な個体におけるレベルに対して比較することにおいて使用することができる。これは、同じサンプルスポットからのいくつかの分析種についてのＭＲＭピーク面積を測定し、これらの分析種の比率を計算し、これらの比率を、「正常」な、障害でない事例を表すことが知られている対応する比率に対して比較することによって達成することができる。これらの比率の１つ以上が内部標準物を伴うことができる。「正常」な比率が、多くの個体（健康者および疾患状態にある個体）のスクリーニングの結果として先行技術において設定されている。
【００５２】
本出願人の教示から、ターゲット表面（例えば、ＭＡＬＤＩプレート）が、１名または複数の患者に由来するサンプルと、コントロールサンプルとを含み得ることが明らかにされ得る。同じ患者についての１つ以上のサンプルスポットをプレートに存在させることができる。すべての調製物が同じであった反復サンプルスポットを存在させることができる。このことは、プレート上の１つのサンプルスポットが十分な材料でない場合について、数多くの障害についてのスクリーニングを容易にする。この場合には、アミノ酸およびアシルカルニチンがプレート上の同じサンプルスポットから分析されるかもしれず、また、同じＭＳ方法を使用してでさえ分析されるかもしれない（すなわち、アミノ酸およびアシルカルニチンのための異なるマススペクトロメーター方法が必要ない）。いくつかの異なる調製物のそれぞれに由来する、同じ患者についての１つ（または複数）のサンプルスポットを同様にプレートに存在させることができる（例えば、脂肪酸酸化障害について１つ、アミノ酸障害について１つ）。例えば、同じ患者について、プレート上のスポットは、（その調製による）アミノ酸障害について３つ、および、（異なる調製による）有機酸障害について２つであり得る（すべてのスポットが、患者から得られた同じ１つの血液サンプルに由来する）。
【００５３】
したがって、本出願人の教示から、ＭＡＬＤＩプレートにおけるサンプルスポッティング場所の適切な判断による選択、または、同じサンプルの反復スポッティングにより、特定の障害または一連の障害についての今までにない高速分析が提供され得ることが明らかにされ得る。例えば、いくつかの場合には、異なるサンプル調製物を、１人の患者に由来する１つ以上の乾燥血液スポットから調製することができる。例えば、アミノ酸およびアシルカルニチンについての分析を同じサンプルスポットから行う場合、ならびに、アミノ酸およびアシルカルニチンについての分析を同じマススペクトロメーター方法の範囲内においてさえ行う場合には、メタノール抽出を典型的には使用することができ、その後、ブタノール性ＨＣｌによる誘導体化を続けることができる。当業者には知られているように、ＮＢＳの一部の実施者によって行われるさらなる工程では、おそらくは他の化学試薬または溶媒によるさらなる抽出および／または誘導体化が伴い得る。これらの様々なサンプル調製をＭＡＬＤＩ−ＭＳ−ＭＳシステムから離れて「オフライン」で行うことができ、また、ＥＳＩ−ＭＳ−ＭＳによる分析方法を使用するときには、マススペクトロメーターシステムへの多数のサンプル注入が要求され得る。本出願人の方法は、これらのさまざまな異なるサンプル調製物が、それらの作業流れに対して最も好都合であると実施者が見出すどのような順序であっても、同じＭＡＬＤＩプレートにスポットされることを可能にし得る。このことは、１秒あたり１つまたは２つのイオン対の割合によって単にもたらされる全体的な分析速度を超える、さらに著しい増大した全体的な分析速度をもたらすことができる。
【００５４】
ｏＭＡＬＤＩ−ＭＳ−ＭＳの速度増大を示すための比較は、正確には、どのような疾患が分析されているかに依存し得る。ＥＳＩ−ＭＳ−ＭＳによる最も速い障害スクリーニングでは、マススペクトロメーターシステムへの１回のサンプル注入における、１つの血液スポットからのいくつかの障害についてのスクリーニングが伴う。この様式では、サンプル注入および（サンプルの持ち越しを防止するための）システム洗浄のための「オーバーヘッド（ｏｖｅｒｈｅａｄ）」時間を、それぞれのサンプル注入について１つの障害のための分析と比較して最小限に抑えることができる。マルチスクリーニング法において、ＥＳＩ−ＭＳ−ＭＳの最新技術では、１つのサンプルがおよそ１２０秒毎に処理され得ることが（下記の文献から）示される（ＣｈａｃｅおよびＫａｌａｓ、Ｃｌｉｎ．Ｂｉｏｃｈｅｍ．、３８、２９６−３０９（２００５）；Ｃｈａｃｅら、Ｃｌｉｎ．Ｃｈｅｍ．、４９（１１）、１７９７−１８１７（２００３））。比較目的のために、下記は、容易に達成できるサンプル処理能速度でのＭＡＬＤＩ−ＭＲＭによる、合計で２５個の分析種について、１３個のアシルカルニチンおよび１２個のアミノ酸の分析についての一例である。標準的なＥＳＩ−ＭＳ−ＭＳ分析では通常、２５個未満の分析種がモニターされることが特筆される。これら２５個の分析種のそれぞれがそれ自身の内部標準物を要求する最悪の場合、ｏＭＡＬＤＩ−ＭＳ−ＭＳ技術では、これら５０個の化合物を１０個の化合物からなる５つの群にグループ分けすることができ、システムはサンプルスポットあたり１０個の化合物を分析することができる。速度がサンプルスポットあたり２秒である場合、ｏＭＡＬＤＩ−ＭＳ−ＭＳ分析では、全分析を完了するためにおよそ１０秒が要求され、これは、最新技術のＥＳＩ−ＭＳ−ＭＳ分析よりもおよそ１０倍高速である。非常に標的化された分析、例えば、ＰＫＵについての分析などを、図４から示されるように、ｏＭＡＬＤＩ−ＭＳ−ＭＳ技術により、十分に１秒未満で行うことができる。
【００５５】
本出願人の教示によりまた、生物学的障害の分析における使用のためのキット、具体的には、生物学的障害についての新生児スクリーニングにおける使用のためにキットが提供され得る。生物学的障害は、代謝障害、例えば、アミノ酸障害、脂肪酸酸化障害および有機酸障害などが可能であり、しかし、これらに限定されない。本発明のキットは、下記の１つ以上を含むことができる：サンプル採取のために必要とされる試薬および付属物（例えば、ニードル、ＤＢＳろ紙、穴あけ器）、サンプル調製のために要求される試薬、例えば、サンプルの分離または誘導体化のために要求される試薬（純粋な試薬および溶媒、フィルター、カラム、液体クロマトグラフィー（ＬＣ）緩衝液、回収チューブ、ＭＡＬＤＩマトリックス、他のＵＶ光吸収化合物）、分析種（標識されていない標準物および標識された内部標準物）、ならびに、ターゲット表面、例えば、ＭＡＬＤＩプレート、または、ＭＡＬＤＩマトリックスの必要性を除き、それにもかかわらず、依然として、表面からの十分な脱離およびイオン化をもたらす意図的に設計された表面処理を伴うプレート、あるいは、おそらくは、コントロールまたは標準的な事前にスポットされたＭＡＬＤＩプレート、スクリーニング目的のための容易なデータ分析のためのソフトウエア、サンプルの採取、調製および分析のための説明書、同様にまた、イオンがダンピングガスによりダンピング／冷却され、その後、マスアナライザーを使用して分析されるＭＡＬＤＩ−ＭＳ−ＭＳまたは他のレーザー脱離イオン源の使用のための説明書。
【００５６】
実施例２：効率的なイオン生成および分析をＭＡＬＤＩ  ＭＳ／ＭＳにより達成するために、目的とする分析種についての有用な誘導体化プロトコルを確立すること。
【００５７】
アミノ酸およびアシルカルニチンの分析のために、２つの文献の方法（Ｃｈａｃｅら、Ｃｌｉｎ．Ｃｈｅｍ．、３９（１）、６６−７１（１９９３）；Ｃｈａｃｅら、Ｃｌｉｎ．Ｃｈｅｍ．、４１（１）、６２−６８（１９９５）；Ｃｈａｃｅら、Ｃｌｉｎ．Ｃｈｅｍ．、４２（３）、３４９−３５５（１９９６））から改変された誘導体化方法が有用であることが見出された。プロトコルでは、サンプルをブタノールＨＣｌにより誘導体化することが伴い、方法が、ＭＡＬＤＩプレートへのスポッティングに先立つＭＡＬＤＩマトリックスとの混合によって、ＭＡＬＤＩスポッティングのためのサンプル調製を含むように拡張された。具体的には、方法は下記の工程を含むことができ、だが、これらの工程は、当業者には知られているように、変更、代用または省略することができる：
ａ）アミノ酸およびアシルカルニチンの内部標準物を一緒に混合して、０．１ＭのＨＣｌにおいて１ｍｇ／ｍｌの最終濃度にし、５０％ＭｅＯＨにより連続希釈する。混合物をＮ２の穏やかな流れのもとで乾燥する。
【００５８】
ｂ）５０ｕｌの３ＭブタノールＨＣｌをそれぞれのチューブに加え、６５℃で１５分間インキュベーションする。
【００５９】
ｃ）チューブをＮ２の穏やかな流れのもとで乾燥する。
【００６０】
ｄ）沈殿物を５０％アセトニトリル＋０．１％ギ酸に懸濁する。さらなる連続希釈物を必要に応じて調製する。
【００６１】
ｅ）ＣＨＣＡ（α−シアノ−４−ヒドロキシケイ皮酸）のＭＡＬＤＩマトリックスと１：１で混合し、０．７５ｕｌをＭＡＬＤＩプレートにスポットする。
【００６２】
最も一般的な誘導体が、ブタノールによるカルボン酸基のエステル化によって形成される。誘導体化されたサンプルが、例えば、「アミノ酸のブチルエステル誘導体」として示される。ＭＳ−ＭＳ条件下において、このようなブチルエステルは１０２Ｄａ（ギ酸ブチル）のフラグメント化質量をもたらし、このフラグメント化質量を特定のＭＳ−ＭＳスキャンタイプ（１０２Ｄａのニュートラルロス）において使用することができる。いくつかのアミノ酸（システイン、リシン、ホモシステインおよびトリプトファン）では、サンプル調製プロセスに対する特別な改変が要求される（還元剤の添加が、ジスルフィド形成を防止するために要求される）（Ｍａｇｅｒａら、Ｃｌｉｎ．Ｃｈｅｍ．、４５（９）、１５１７−１５２２（１９９９）；Ａｃｃｉｎｎｉら、Ｊ．Ｃｈｒｏｍａｔｏｇｒ．Ｂ．、７８５、２１９−２２６（２００３））。
【００６３】
図１３〜図２４はいくつかの分析種のＭＲＭ遷移イオンスペクトルを示す。この予備的データが、ＭＲＭモードで稼動する三連四重極マススペクトロメーターでのｏＭＡＬＤＩを使用することによって取得された。
【００６４】
実施例３。分析することができる一群の分析種を決定すること。
【００６５】
本出願人の教示により、ほとんどが著しい分析速度の改善のためであるが、たぐいまれな様々なスクリーニング能力が提供され得る。例えば、ファーストパススクリーニングを行うために、特定の疾患状態についての可能性のある指標として作用する１つまたは２つの主要な分析種を１秒または２秒で容易に分析することができる。したがって、次の工程の必要性がその結果から示されることがあるか、または示されないことがある非常に速いファーストパススクリーニングを提供する方法を適用することが可能である。スペクトルのやや逆の目的において、スクリーニングの意図が、疾患が存在するか否かの決定を行うことであるならば、より多くの分析種をその特定の疾患状態についてモニターすることができる。すべての場合においては、全く異なる分析技術により試験することが、疾患についてのすべての陽性結果を確認するために非常に推奨される。
【００６６】
下記の一群の分析種を障害に基づいて一緒にグループ化することができ、同じスポットにおいて、または、スポットの同じ列において、または、スポットの同じプレートにおいて分析することができる。
【００６７】
下記の例では、同じ１つの血液スポットから作製される３つのサンプルスポットが検討され、この例は、グループ化が、質量分析法および本出願人の教示によって検出可能な障害のいくつかについてスクリーニングを行うためにどのように行われ得るかの一例である。多くの他のグループ化が、当業者に知られているように可能である。最大で１０個のＭＲＭイオン対がこの例示の目的のために使用される。サンプルスポットは有限のサイズであり、また、ラスターリングが、データに対する半定量化を正当に行うことができるためのＭＲＭピーク全域の十分なデータポイントを依然として得ながら、シグナルがラスター期間を通じて一定のままであるように行われる。異なる例では、１０個を越えるＭＲＭイオン対を容易に使用することができる。
【００６８】
下記のグループ化において、ＩＳは内部標準物を意味し、Ｃ２、Ｃ３、Ｃ４、Ｃ５、Ｃ６、Ｃ８、Ｃ１０の意味については、前記本文を参照のこと。
ａ）グループ１：アミノ酸障害群
分析種：
Ｐｈｅ、Ｔｙｒ、Ｌｅｕ、Ｖａｌ、Ｍｅｔ、および、対応する標識された内部標準物
障害：
ＰＫＵ（フェニルケトン尿症）：ＰｈｅおよびＴｙｒ
ＭＳＵＤ（メープルシロップ尿症）：ＬｅｕおよびＶａｌ
ホモシスチン尿症：Ｍｅｔ
ｂ）グループ２：脂肪酸酸化障害群
分析種：
Ｃ４、Ｃ５、Ｃ６、Ｃ８、Ｃ１０、および、対応する標識された内部標準物
障害：
ＭＣＡＤ（中鎖アシルＣｏＡデヒドロゲナーゼ欠損症）：Ｃ６、Ｃ８、Ｃ１０
ＳＣＡＤ（短鎖アシルＣｏＡデヒドロゲナーゼ欠損症）：Ｃ４
ＧＡ−ＩＩ（グルタル酸血症、ＩＩ型）：Ｃ４、Ｃ５、Ｃ６、Ｃ８、Ｃ１０
ｃ）グループ３：有機酸障害群
分析種：
Ｃ２、Ｃ３、Ｃ４、Ｃ５、および、対応する標識された内部標準物
障害：
ＰＡ（プロピオン酸血症）：Ｃ２、Ｃ３
ＭＭＡ（メチルマロン酸血症）：Ｃ２、Ｃ３
ＩＶＡ（イソ吉草酸血症）：Ｃ２、Ｃ３、Ｃ５
ＩＢＤ（イソブチリルＣｏＡデヒドロゲナーゼ欠損症）：Ｃ４
上記の障害群は、本出願人の教示に従って、合計でおよそ５秒で、いくつかの異なる疾患についてスクリーニングするための方法を例示するための例として役立つ。多くの他の疾患群またはスクリーニングを行うことができる。また、前記議論の多くは、誘導体化されたアミノ酸およびアシルカルニチンを伴ったが、本出願人の教示に記載される技術はまた、誘導体化されていないアミノ酸およびアシルカルニチンの分析に対して適用することができる。
【００６９】
例えば、図２５〜図３２は、非修飾型カルニチンだけでなく、いくつかの誘導体化されていないアシルカルニチンのＭＲＭ遷移イオンのスペクトルを示す。図３３〜図３８は、いくつかの誘導体化されていないアミノ酸のＭＲＭ遷移イオンのスペクトルを示す。図３３〜図３８において、スペクトルは、分析種由来のシグナル、ならびに、ＭＡＬＤＩマトリックスブランク由来のシグナルを示す。
【００７０】
Ｃ２、Ｃ３、Ｃ４、Ｃ５、Ｃ６、Ｃ８およびＣ１０を含む一群が分析された。他の組合せもまた分析することができる。
【００７１】
実施例４：アシルカルニチンの擬似スクリーニング（ｐｓｅｕｄｏ−ｓｃｒｅｅｎ）。
【００７２】
本出願において示されるデータは原理の証拠としてアシルカルニチンのほんの一部を含むだけであるが、他のアシルカルニチンがＮＢＳにとって重要である（例えば、ヒドロキシアシルカルニチン）。同位体標識された内部標準物は一般に、これらの他のアシルカルニチンについては入手できないので、それらは今後、ｏＭＡＬＤＩによって分析されなければならない。しかしながら、それらが溶液中において帯電するという事実は、アシルカルニチンと同様に、それらがｏＭＡＬＤＩ技術によって問題なくイオン化されることを示している。
【００７３】
図１２は、ファーストパススクリーニングの目的のために２秒未満で行うことができるアシルカルニチンの擬似スクリーニングの一例を示す。当業者には知られているように、１１個のアシルカルニチンについてのこの分析、および、８個の内部標準物に対する参照により、質量分析法によって検出可能な障害についてスクリーニングするためのより大きい範囲のアシルカルニチンの幅広い十分な適用範囲がもたらされる。障害がサンプルスポットに存在したならば、障害は、いくつかの異常をこの一組のアシルカルニチンの測定された量において生じさせると考えられる。異常に対して「注意が向けられ（ｆｌａｇｇｅｄ）」、より詳細な分析が、おそらくは全く同じサンプルスポットに対して、しかし、確かなことには、同じ乾燥血液スポットに由来するＭＡＬＤＩサンプルスポットに対して行われる。図１２におけるＭＲＭデータには、２つのヒドロキシアシルカルニチン（Ｃ５ＯＨおよびＣ１６ＯＨ）についてのスクリーニングが含まれた。このアシルカルニチン擬似スクリーニングに含まれる的確な分析種は、目標とされた異なるスクリーニングのために、当業者によって変えることができる。同じことが、スクリーニングに含まれる分析種の的確な数について当てはまる。
【００７４】
実施例５．大規模スクリーニング
本出願人の教示は、例えば、２５個の分析種および２５個以下の対応する内部標準物を使用するスクリーニングを組み立てるために使用することができる。例えば、スクリーニングでは、ＣｈｒｏｍｓｙｓｔｅｍｓＴＭキットにおける１３個のアシルカルニチンおよび１２個のアミノ酸のすべてと、それらのそれぞれの内部標準物とを含むことができる。そのようなスクリーニングを、ＮＢＳのための目的とするアミノ酸およびアシルカルニチンの大部分をモニターする目的のために５秒未満で、１つのＭＡＬＤＩサンプルスポットを横切る１回のレーザー通過の使用によって達成することができる。ターゲットプレートを、０．５ｍｍ／ｓ近くのより遅い速度で移動させるために設定することができ、また、７ｍｓのＭＲＭ滞留時間は、許容され得るデータ品質を提供するためのＭＲＭピーク全域の十分なデータポイントをもたらす。分析種の異常な測定された濃度を、より詳細なスクリーニングを開始するために使用することができる。そのようなスクリーニングでは、５０個未満の総イオン対を含むことができ、また、当業者には知られているように、そのような大規模スクリーニングでは、生物学的測定の目的のために要求されるアシルカルニチンおよびアミノ酸の任意のミックスを含むことができる。
【００７５】
当業者には知られているように、代謝障害の分析は、新生児だけでなく、成人について行うことができる。
【図１】
2011511276.tif 000003
【図２】
2011511276.tif 000004
【図３】
2011511276.tif 000005
【図４】
2011511276.tif 000006
【図５】
2011511276.tif 000007
【図６】
2011511276.tif 000008
【図７】
2011511276.tif 000009
【図８】
2011511276.tif 000010
【図９】
2011511276.tif 000011
【図１０】
2011511276.tif 000012
【図１１】
2011511276.tif 000013
【図１２】
2011511276.tif 000014
【図１３】
2011511276.tif 000015
【図１４】
2011511276.tif 000016
【図１５】
2011511276.tif 000017
【図１６】
2011511276.tif 000018
【図１７】
2011511276.tif 000019
【図１８】
2011511276.tif 000020
【図１９】
2011511276.tif 000021
【図２０】
2011511276.tif 000022
【図２１】
2011511276.tif 000023
【図２２】
2011511276.tif 000024
【図２３】
2011511276.tif 000025
【図２４】
2011511276.tif 000026
【図２５】
2011511276.tif 000027
【図２６】
2011511276.tif 000028
【図２７】
2011511276.tif 000029
【図２８】
2011511276.tif 000030
【図２９】
2011511276.tif 000031
【図３０】
2011511276.tif 000032
【図３１】
2011511276.tif 000033
【図３２】
2011511276.tif 000034
【図３３】
2011511276.tif 000035
【図３４】
2011511276.tif 000036
【図３５】
2011511276.tif 000037
【図３６】
2011511276.tif 000038
【図３７】
2011511276.tif 000039
【図３８】
2011511276.tif 000040
【国際調査報告】
2011511276.tif 000041
2011511276.tif 000042
2011511276.tif 000043
2011511276.tif 000044